(57)【要約】【課題】チャフシーブの途中部に段差を設けて唐箕からの選別風を作用させることにより、穀粒と藁屑の分離を促進し、選別性能の向上を図る。【解決手段】脱穀処理物を受け入れて後方に揺動移送しながら篩い選別するチャフシーブ（１２）を、左右方向に沿う多数のシーブ板（２０）を前後方向に間隔をおいて配置して形成し、チャフシーブ（１２）の前部に、前側の１段目シーブ（１２ａ）よりも後側の２段目シーブ（１２ｂ）を低位とすることで形成される第１段差部（Ｈ１）を設け、この第１段差部（Ｈ１）に唐箕（１６）からの選別風を作用させる構成とする。また、チャフシーブ（１２）における第１段差部（Ｈ１）よりも下手側の部位には、２段目シーブ（１２ｂ）よりも後側の３段目シーブ（１２ｃ）を低位とすることで形成される第２段差部（Ｈ２）を設け、第２段差部（Ｈ２）に唐箕（１６）からの選別風を作用させる構成とする。【選択図】      図３
2014087327.tif 000002
【特許請求の範囲】
【請求項１】
脱穀処理物を受け入れて後方に揺動移送しながら篩い選別するチャフシーブ（１２）を、左右方向に沿う多数のシーブ板（２０）を前後方向に間隔をおいて配置して形成し、該チャフシーブ（１２）の前部に、前側の１段目シーブ（１２ａ）よりも後側の２段目シーブ（１２ｂ）を低位とすることで形成される第１段差部（Ｈ１）を設け、この第１段差部（Ｈ１）に唐箕（１６）からの選別風を作用させる構成とした脱穀機の揺動選別装置。
【請求項２】
前記チャフシーブ（１２）における第１段差部（Ｈ１）よりも下手側の部位には、前記２段目シーブ（１２ｂ）よりも後側の３段目シーブ（１２ｃ）を低位とすることで形成される第２段差部（Ｈ２）を設け、該第２段差部（Ｈ２）に唐箕（１６）からの選別風を作用させる構成とした請求項１記載の脱穀機の揺動選別装置。
【請求項３】
前記チャフシーブ（１２）の各シーブ板（２０）間に漏下間隙として形成される開口部の開度を、１段目シーブ（１２ａ）の開度（ａ）、２段目シーブ（１２ｂ）の開度（ｂ）、３段目シーブ（１２ｃ）の開度（ｃ）の順に大きく設定した請求項１又は請求項２記載の脱穀機の揺動選別装置。
【請求項４】
前記チャフシーブ（１２）の後側には、前後方向に沿う多数のラック板を左右方向に間隔をおいて配置して形成したストローラック（１３）と、左右方向に沿う多数のシーブ板（２０）を前後方向に間隔をおいて配置して形成したストローシーブ（２６）とを交換自在に備えた請求項１又は請求項２又は請求項３記載の脱穀機の揺動選別装置。
【請求項５】
前記チャフシーブ（１２）からの漏下処理物を受け入れて選別処理するグレンシーブ（１４）を、線状部材を格子状に編んで形成したクリンプ網（１４Ｎ）と、板状部材に多数の孔を穿設して形成した目抜プレート（１４Ｐ）とに交換自在に構成した請求項１から請求項４のいずれか一項記載の脱穀機の揺動選別装置。
【発明の詳細な説明】
【技術分野】
【０００１】
この発明は、脱穀処理された処理物を受け入れて揺動選別する脱穀機の揺動選別装置に関する。
【背景技術】
【０００２】
従来、脱穀処理物を受け入れて揺動移送しながら篩い選別するチャフシーブは、各シーブ板が前後所定間隔置きに並設されたもので、途中に段差がなく終始一定高さに形成されたものであることが一般的に知られている（例えば、特許文献１参照）。
【先行技術文献】
【特許文献】
【０００３】
【特許文献１】特開２０００−１３９１８３号公報
【発明の概要】
【発明が解決しようとする課題】
【０００４】
本発明の課題は、チャフシーブの途中部に段差を設けて唐箕からの選別風を作用させることにより、穀粒と藁屑の分離を促進し、選別性能の向上を図ることにある。
【課題を解決するための手段】
【０００５】
この発明は、上記課題を解決すべく次のような技術的手段を講じた。
すなわち、請求項１記載の発明は、脱穀処理物を受け入れて後方に揺動移送しながら篩い選別するチャフシーブ（１２）を、左右方向に沿う多数のシーブ板（２０）を前後方向に間隔をおいて配置して形成し、該チャフシーブ（１２）の前部に、前側の１段目シーブ（１２ａ）よりも後側の２段目シーブ（１２ｂ）を低位とすることで形成される第１段差部（Ｈ１）を設け、この第１段差部（Ｈ１）に唐箕（１６）からの選別風を作用させる構成とした脱穀機の揺動選別装置とする。
【０００６】
チャフシーブ（１２）上に受け入れられる脱穀処理物は、後方への揺動移送に伴って篩い選別されるが、穀粒は各シーブ間の開口部から下方に漏下し、藁屑類は後方に送られて処理される。
【０００７】
チャフシーブ（１２）の前部に形成される第１段差部（Ｈ１）では、処理物が１段目シーブ（１２ａ）上から２段目シーブ（１２ｂ）上に落下するとき、ここを通過する唐箕からの選別風によって風選されるので、穀粒と藁屑の分離が促進され、選別性能が向上する。
【０００８】
請求項２記載の発明は、前記チャフシーブ（１２）における第１段差部（Ｈ１）よりも下手側の部位には、前記２段目シーブ（１２ｂ）よりも後側の３段目シーブ（１２ｃ）を低位とすることで形成される第２段差部（Ｈ２）を設け、該第２段差部（Ｈ２）に唐箕（１６）からの選別風を作用させる構成とした請求項１記載の脱穀機の揺動選別装置とする。
【０００９】
上記構成によると、チャフシーブ（１２）の前部に形成される第１段差部（Ｈ１）に加えて、この後側に形成される第２段差部（Ｈ２）を設けることで、落差を利用しての選別が段階的に行え、選別性能がより向上する。
【００１０】
請求項３記載の発明は、前記チャフシーブ（１２）の各シーブ板（２０）間に漏下間隙として形成される開口部の開度を、１段目シーブ（１２ａ）の開度（ａ）、２段目シーブ（１２ｂ）の開度（ｂ）、３段目シーブ（１２ｃ）の開度（ｃ）の順に大きく設定した請求項１又は請求項２記載の脱穀機の揺動選別装置とする。
【００１１】
上記構成によると、チャフシーブ（１２）の開度が、１段目シーブ（１２ａ）よりも２段目シーブ（１２ｂ）が大きく、２段目シーブ（１２ｂ）よりも３段目（１２ｃ）が大きくなるように設定しているので、穀粒と藁屑の分離がより促進され、風選並びに篩い選別が効果的に行える。
【００１２】
請求項４記載の発明は、前記チャフシーブ（１２）の後側には、前後方向に沿う多数のラック板を左右方向に間隔をおいて配置して形成したストローラック（１３）と、左右方向に沿う多数のシーブ板（２０）を前後方向に間隔をおいて配置して形成したストローシーブ（２６）とを交換自在に備えた請求項１又は請求項２又は請求項３記載の脱穀機の揺動選別装置とする。
【００１３】
上記構成によると、作物の種類によってストローラック仕様とストローシーブ仕様とに選択することができ、着け替えによって作物の種類に応じた目合調整が可能となる。
請求項５記載の発明は、前記チャフシーブ（１２）からの漏下処理物を受け入れて選別処理するグレンシーブ（１４）を、線状部材を格子状に編んで形成したクリンプ網（１４Ｎ）と、板状部材に多数の孔を穿設して形成した目抜プレート（１４Ｐ）とに交換自在に構成した請求項１から請求項４のいずれか一項記載の脱穀機の揺動選別装置とする。
【００１４】
上記構成によると、作物の種類によってクリンプ網（１４Ｎ）を使用したり、目抜プレート（１４Ｐ）を使用したりすることができ、作物の種類に応じて交換することができ、選別精度を高めることができる。
【発明の効果】
【００１５】
請求項１記載の発明によれば、チャフシーブ（１２）の始端側に第１段差部（Ｈ１）を設けることで、処理物が１段目シーブ（１２ａ）から２段目シーブ（１２ｂ）に落下するとき、唐箕からの選別風によって風選することができ、穀粒と藁屑の分離が良好に行え、選別性能を高めることができる。
【００１６】
請求項２記載の発明によれば、請求項１記載の発明の効果に加えて、チャフシーブ（１２）の中間部若しくは後端側に第２段差部（Ｈ２）を設けることで、穀粒と藁屑の分離効果が更に高まり、選別性能をより高めることができる。
【００１７】
請求項３記載の発明によれば、請求項１又は請求項２記載の発明の効果に加えて、チャフシーブ（１２）の開度が移送方向下手側の部位ほど大きく設定されているので、穀粒と藁屑の分離がより促進され、風選並びに篩い選別が効果的に行え、選別性能が一段と向上する。
【００１８】
請求項４記載の発明によれば、請求項１又は請求項２又は請求項３記載の発明の効果に加えて、作物の種類によってストローラック仕様とストローシーブ仕様とに選択することができ、着け替えによって作物の種類に応じた目合調整が可能で、選別精度が向上する。
【００１９】
請求項５記載の発明によれば、請求項１から請求項４のいずれか一項記載の発明の効果に加えて、作物の種類によってクリンプ網（１４Ｎ）を使用したり、目抜プレート（１４Ｐ）を使用したりすることができ、作物の種類に応じて交換することができ、選別精度を高めることができる。
【図面の簡単な説明】
【００２０】
【図１】脱穀装置の要部の側断面図
【図２】脱穀装置の要部の側断面図
【図３】図１要部の側断面図
【図４】同上要部の拡大側断面図
【図５】図２要部の側断面面
【図６】ストローシーブの側断面図
【図７】同上背面図
【図８】揺動選別装置の要部の側面図
【図９】クリンプ網の平面図
【図１０】揺動選別装置の要部の側面図
【図１１】目抜プレートの平面図
【発明を実施するための形態】
【００２１】
この発明の実施例を図面に基づき説明する。
図１及び図２は汎用コンバインの脱穀装置（脱穀機）を示し、次のような構成になっている。
【００２２】
すなわち、脱穀装置１の脱穀室２内には、投入された穀稈を脱穀する軸流型扱胴３を軸装している。脱穀室２の下半周部には受網４が張設され、脱穀室２の中間部位には受網の周部に沿って仕切板５が設けられている。扱胴３の始端部には取込螺旋６が設けられ、扱胴３の周面から多数の棒状の扱歯３ａが突設されている。
【００２３】
脱穀室２下方の揺動選別装置（揺動選別棚）１０は、揺動駆動機構を介して前後方向に揺動駆動されるようになっていて、脱穀処理後の処理物を受け入れて揺動移送しながら篩い選別する構成であり、選別方向上手側から移送棚１１、チャフシーブ１２、ストロ−ラック１３の順に配置し、且つ、前記チャフシ−ブ１２の下方にグレンシ−ブ１４、１番戻し棚１５、前記ストローラック１３の下方には２番戻し棚１５ａを配置して設けた構成としている。
【００２４】
また、揺動選別棚１０の下方には選別方向の上手側から順に、唐箕１６と、１番螺旋１７、２番螺旋１８を配置して設けた構成としている。
移送棚１１の終端部とチャフシーブ１２の始端部との間に僅かの段差を設けてあり、移送棚１１の終端部に篩い線１９を設けてチャフシーブ１２の始端部上に臨ませている。
【００２５】
前記チャフシーブ１２は、前後方向に所定間隔を開けて上下方向に傾斜し、夫々横軸芯Ｑ回りで揺動開閉自在な複数のシーブ板２０を並列配備してなる構成である。
チャフシーブ１２の始端側には、１段目シーブ１２ａより２段目シーブ１２ｂを低位とする第１段差部Ｈ１を設け、更に、第１段差部Ｈ１より下手側位置には、２段目シーブ１２ｂより３段目シーブ１２ｃを低位とする第２段差部Ｈ２を設けている（図３参照）。
【００２６】
そして、前記チャフシーブの各シーブ板２０，２０間の開口度合は、１段目シーブ１２ａの開度ａより２段目シーブ１２ｂの開度ｂが大きく、２段目シーブ１２ｂの開度ｂより３段目シーブの開度ｃが大きくなるように上手側から、
ａ＜ｂ＜ｃ
の順に設定している。
【００２７】
唐箕１６からの選別風の風選経路には、選別風の流れを変向する上下２段の風分流体（フラッパ）２１，２１が設けられている。そして、上段の風選経路２１ａからの一次選別風は、チャフシーブ１２の始端側及び第１段差部Ｈｉに向けて作用させるように構成している。中段の風選経路２１ｂからの二次選別風は主として１番戻し棚１４及び第２段差部Ｈ２に向けて作用させるようにしてあり、また、下段の風選経路２１ｃからの三次選別風はストローラック１３又はストローシーブ２６側に向けて作用させるように構成している。
【００２８】
前記ストローラック１３は、図４に示すように、バネ材等の弾性体で構成してあり、ストローラック取付部材２３ａ，２３ｂを上下に２重構成とし、その上部部材２３ａをくの字型に形成して内部に空間を設けた構成としている。ストローラック前部の取り付けは、左右の棚側板２２に固定ボルト２４で固定し、ストローラックの後部側は棚後側板２５にボルト２４で連結している。
【００２９】
稲や麦の作物では、前記のような通常のストローラック１３を使用するが、菜種のような作物では、選別精度を上げるためにストローラック１３に代えて前記のようなチャフシーブ１２と同じ機能をもつストーシーブ２６と取り替えて使用することができるようになっている。そして、このストローシーブ２６の前部側は、シーブ連結プレート２７を介して棚側板２２にボルト２４で連結し、後部側は棚後側板２５にボルト２４で連結するようになっている。ストローシーブの調整箇所に対応する機体側板には、外側からシーブの着脱及び調整が容易にできる点検窓２８を開口している。棚側板２２にはシーブ着脱作業用穴２９が開口されている。
【００３０】
なお、前記ストローシーブ２６は、図６及び図７に示すように、各シーブ板２０の回動支点Ｑを左右のサイドフレーム３０Ｌ，３０Ｒに軸支し、各シーブ板の下端側を前後方向に移動可能なスライドリンク３１で連結し、左右のサイドフレーム３０Ｌ，３０Ｒをリヤフレーム３２によって接合連結した構成としている。
【００３１】
前記グレンシーブ１４は、作物の種類により、通常のクリンプ網１４Ｎと目抜プレート１４Ｐとに変更できるようになっている。例えば、作物が稲や麦の場合は、クリンプ網１４Ｎを使用（図８及び図９参照）し、菜種などの場合は目抜プレート１４Ｐに取り替えて使用（図１０及び図１１参照）する。
【００３２】
目抜プレート１４Ｐによる場合は、選別性能向上のため、プレート先端部を１番戻し棚１５の上端上方近くまで長く延設した構成としている。また、目抜プレートの取り付けは、クリンプ網取付部材３３を使用し、強度アップのため、プレート先端は別体の補強部材３４を介して左右の棚側板２２と目抜プレートを連結保持させた構成している。
【００３３】
前記１番戻し棚１５の下端側には、ゴム材などで構成された１番側弾性シール３５と２番側弾性シール３６が同一箇所において締付ボルト３７によって共締めした構成としている。２番側弾性シール３６は１番側に２番還元物が入らないようにするためのもので、２番螺旋１８側に向けて下り傾斜に構成している。
【符号の説明】
【００３４】
１０    揺動選別棚
１２    チャフシーブ
１３    ストローラック
１４    グレンシーブ
１４Ｎ  クリンプ網
１４Ｐ  目抜プレート
１６    唐箕
２０    シーブ板
２６    ストローシーブ
Ｈ１    第１段差部
Ｈ２    第２段差部
【図１】
2014087327.tif 000003
【図２】
2014087327.tif 000004
【図３】
2014087327.tif 000005
【図４】
2014087327.tif 000006
【図５】
2014087327.tif 000007
【図６】
2014087327.tif 000008
【図７】
2014087327.tif 000009
【図８】
2014087327.tif 000010
【図９】
2014087327.tif 000011
【図１０】
2014087327.tif 000012
【図１１】
2014087327.tif 000013